(57)【要約】【課題】  コードレス電話機において、制御ＣＨに外来ノイズの影響があったとしても、自動で制御ＣＨを切り替えられるようにする。【解決手段】  親機は、子機とコマンドの送受信に使用する制御ＣＨにノイズを検出した場合は制御ＣＨ変更カウンタをセットする（Ｓ４０１）。親機は、予め定められた期間内に子機からの接続要求コマンドを検出すると（Ｓ４０３）、子機に対し通接続完了コマンドと制御チャネル変更コマンドを送出する（Ｓ４０４）。子機は、制御チャネル変更コマンドを受信すると自身の制御チャネルを他の制御チャネルに変更する（Ｓ４０５）とともに親機に通話状態への移行を完了したことを示す接続移行コマンドと制御チャネル変更完了コマンドを送信する（Ｓ４０６）。親機は、制御チャネル変更完了コマンドを受信して自身の制御チャネルを他の制御チャネルに変更する（Ｓ４０７）。【選択図】      図８
2006067131.tif 000002
【特許請求の範囲】
【請求項１】
第１の無線電話機は、第２の無線電話機とコマンドの送受信に使用する制御チャネルにノイズを検出した場合は、前記制御チャネルを介した前記第２の無線電話機からのコマンド検出を続け、前記第２の無線電話機からの前記コマンドを検出すると、前記第２の無線電話機に対し制御チャネル変更を要求する制御チャネル変更コマンドを送出し、前記第１の無線電話機と第２の無線電話機とが前記制御チャネルを予め決められた他の制御チャネルに変更することを特徴とするコードレス電話機における制御チャネル切り替え方法。
【請求項２】
前記ノイズが規定値より小さい場合にのみ、前記第２の無線電話機からのコマンド検出を続けることを特徴とする請求項１記載のコードレス電話機における制御チャネル切り替え方法。
【請求項３】
前記ノイズが規定値より大きい場合は、予め設けられた利用者への要求手段に制御チャネル変更要求を出力することを特徴とする請求項２記載のコードレス電話機における制御チャネル切り替え方法。
【請求項４】
前記第２の無線電話機からのコマンド検出を予め定められた期間続けることを特徴とする請求項１記載のコードレス電話機における制御チャネル切り替え方法。
【請求項５】
前記予め定められた期間経過後は、予め設けられた利用者への要求手段に制御チャネル変更要求を出力することを特徴とする請求項４記載のコードレス電話機における制御チャネル切り替え方法。
【請求項６】
前記第２の無線電話機からのコマンド検出を行う際に、予め設けられた利用者への要求手段に第２の無線電話機からの通話接続を行うことの要求を出力することを特徴とする請求項１記載のコードレス電話機における制御チャネル切り替え方法。
【請求項７】
第１の無線電話機は、第２の無線電話機とコマンドの送受信に使用する制御チャネルにノイズを検出した場合は、前記ノイズが規定値より小さい場合にのみ前記制御チャネルを介した前記第２の無線電話機からの接続を要求する接続要求コマンドの検出を続け、予め定められた期間内に前記第２の無線電話機からの前記接続要求コマンドを検出すると、前記第２の無線電話機に対し通話状態への移行を要求する接続完了コマンドと制御チャネルの変更を要求する制御チャネル変更コマンドを送出し、前記接続完了コマンドと前記制御チャネル変更コマンドを受信した前記第２の無線電話機は前記第２の無線電話機が使用する前記制御チャネルを予め決められた他の制御チャネルに変更するとともに前記第１の無線電話機に通話状態への移行を完了したことを示す接続移行コマンドと制御チャネルの変更を完了したことを示す制御チャネル変更完了コマンドを送信し、前記接続移行コマンドと前記制御チャネル変更完了コマンドを受信した前記第１の無線電話機は使用する前記制御チャネルを前記他の制御チャネルに変更することを特徴とするコードレス電話機における制御チャネル切り替え方法。
【請求項８】
第１の無線電話機と第２の無線電話機とを含むコードレス電話システムにおいて、
第１の無線電話機は、
第１の記憶部と、
第２の無線電話機とコマンドの送受信に使用する制御チャネルを予め決められた他の制御チャネルに変更する第１の無線制御部とを含み、
前記第１の無線制御部は、前記制御チャネルに含まれるノイズを検出するノイズ判定機能と、前記制御チャネルのコマンドを解析するコマンド解析機能とを含み、前記ノイズ判定機能によりノイズを検出した場合、前記コマンド解析機能により前記制御チャネルを介した前記第２の無線電話機からのコマンド検出を続け、前記第２の無線電話機からの前記コマンドを検出すると、前記第２の無線電話機に対し制御チャネルの変更を要求する制御チャネル変更コマンドを送出するよう制御し、前記制御チャネル変更コマンドに対する前記第２の無線電話機からの制御チャネルの変更を完了したことを示す制御チャネル変更完了コマンドを受信した場合に前記第１の記憶部に記憶する前記制御チャネルを前記他の制御チャネルに変更することを特徴とし、
前記第２の無線電話機は、
第２の記憶部と、
前記第２の無線制御部とを含み、
前記第２の無線制御部は、前記制御チャネル変更コマンドを受信すると前記第２の記憶部に記憶する前記制御チャネルを前記他の制御チャネルに変更するとともに前記第１の無線電話機に前記制御チャネル変更完了コマンドを送信するよう制御することを特徴とするコードレス電話システム。
【請求項９】
前記第１の無線制御部は前記ノイズが規定値より小さい場合にのみ、前記第２の無線電話機からのコマンド検出を続けることを特徴とする請求項８記載のコードレス電話システム。
【請求項１０】
前記第１の無線制御部は前記ノイズが規定値より大きい場合は、予め設けられた利用者への要求手段に制御チャネル変更要求を出力することを特徴とする請求項９記載のコードレス電話システム。
【請求項１１】
前記第１の無線制御部は前記第２の無線電話機からのコマンド検出を予め定められた期間続けることを特徴とする請求項８記載のコードレス電話システム。
【請求項１２】
前記第１の無線制御部は前記予め定められた期間経過後は、予め設けられた利用者への要求手段に制御チャネル変更要求を出力することを特徴とする請求項１１記載のコードレス電話システム。
【請求項１３】
前記第１の無線制御部は前記第２の無線電話機からのコマンド検出を行う際に、予め設けられた利用者への要求手段に第２の無線電話機からの通話接続を行うことの要求を出力することを特徴とする請求項８記載のコードレス電話システム。
【請求項１４】
第１の無線電話機と第２の無線電話機とを含むコードレス電話システムにおいて、
第１の無線電話機は、
第１の記憶部と、
第２の無線電話機とコマンドの送受信に使用する制御チャネルを予め決められた他の制御チャネルに変更する第１の無線制御部とを含み、
前記第１の無線制御部は、前記制御チャネルに含まれるノイズを検出するノイズ判定機能と、前記制御チャネルのコマンドを解析するコマンド解析機能とを含み、前記ノイズ判定機能によりノイズを検出した場合、前記ノイズが規定値より小さい場合にのみ前記コマンド解析機能により前記制御チャネルを介した前記第２の無線電話機からの接続を要求する接続要求コマンド検出を続け、予め定められた期間内に前記第２の無線電話機からの前記接続要求コマンドを検出すると、前記第２の無線電話機に対し通話状態への移行を要求する接続完了コマンドと制御チャネルの変更を要求する制御チャネル変更コマンドを送出するよう制御し、前記第２の無線電話機からの通話状態への移行を完了したことを示す接続移行コマンドと制御チャネルの変更を完了したことを示す制御チャネル変更完了コマンドを受信した場合に前記第１の記憶部に記憶する前記制御チャネルを前記他の制御チャネルに変更することを特徴とし、
前記第２の無線電話機は、
第２の記憶部と、
前記第２の無線制御部とを含み、
前記第２の無線制御部は、前記制御チャネル変更コマンドを受信すると前記第２の記憶部に記憶する前記制御チャネルを前記他の制御チャネルに変更するとともに前記第１の無線電話機に前記接続移行コマンドと前記制御チャネル変更完了コマンドを送信するよう制御することを特徴とするコードレス電話システム。
【請求項１５】
コードレス電話機において、
記憶部と、
相手のコードレス電話機とコマンドの送受信に使用する制御チャネルを予め決められた他の制御チャネルに変更する無線制御部とを含み、
前記無線制御部は、前記制御チャネルに含まれるノイズを検出するノイズ判定機能と、前記制御チャネルのコマンドを解析するコマンド解析機能とを含み、前記ノイズ判定機能によりノイズを検出した場合、前記コマンド解析機能により前記制御チャネルを介した前記相手のコードレス電話機からのコマンド検出を続け、前記相手のコードレス電話機からの前記コマンドを検出すると、前記相手のコードレス電話機に対し制御チャネルの変更を要求する制御チャネル変更コマンドを送出するよう制御し、前記制御チャネル変更コマンドに対する前記相手のコードレス電話機からの制御チャネルの変更を完了したことを示す制御チャネル変更完了コマンドを受信した場合に前記記憶部に記憶する前記制御チャネルを前記他の制御チャネルに変更することを特徴とするコードレス電話機。
【請求項１６】
コードレス電話機において、
記憶部と、
相手のコードレス電話機とコマンドの送受信に使用する制御チャネルを予め決められた他の制御チャネルに変更する無線制御部とを含み、
前記無線制御部は、前記制御チャネルに含まれるノイズを検出するノイズ判定機能と、前記制御チャネルのコマンドを解析するコマンド解析機能とを含み、前記ノイズ判定機能によりノイズを検出した場合、前記ノイズが規定値より小さい場合にのみ前記コマンド解析機能により前記制御チャネルを介した前記相手のコードレス電話機からの接続を要求する接続要求コマンド検出を続け、予め定められた期間内に前記相手のコードレス電話機からの前記接続要求コマンドを検出すると、前記相手のコードレス電話機に対し通話状態への移行を要求する接続完了コマンドと制御チャネルの変更を要求する制御チャネル変更コマンドを送出するよう制御し、前記相手のコードレス電話機からの通話状態への移行を完了したことを示す接続移行コマンドと制御チャネルの変更を完了したことを示す制御チャネル変更完了コマンドを受信した場合に前記記憶部に記憶する前記制御チャネルを前記他の制御チャネルに変更することを特徴とするコードレス電話機。
【請求項１７】
コードレス電話機において、
記憶部と、
相手のコードレス電話機とコマンドの送受信に使用する制御チャネルを予め決められた他の制御チャネルに変更する無線制御部とを含み、
前記無線制御部は、制御チャネルの変更を要求する制御チャネル変更コマンドを受信すると前記記憶部に記憶する制御チャネルを前記他の制御チャネルに変更するとともに前記相手のコードレス電話機に制御チャネルの変更を完了したことを示す制御チャネル変更完了コマンドを送信するよう制御することを特徴とするコードレス電話機。
【請求項１８】
コードレス電話機において、
記憶部と、
相手のコードレス電話機とコマンドの送受信に使用する制御チャネルを予め決められた他の制御チャネルに変更する無線制御部とを含み、
前記無線制御部は、制御チャネルの変更を要求する制御チャネル変更コマンドを受信すると前記記憶部に記憶する制御チャネルを前記他の制御チャネルに変更するとともに前記相手のコードレス電話機に通話状態への移行を完了したことを示す接続移行コマンドと制御チャネルの変更を完了したことを示す制御チャネル変更完了コマンドを送信するよう制御することを特徴とするコードレス電話機。
【発明の詳細な説明】
【技術分野】
【０００１】
本発明はコードレス電話機における制御チャネル切り替え方法及びコードレス電話システム及びコードレス電話機に関し、特に、利用者が特別な切り替え操作をしなくても制御チャネルを変更できるコードレス電話機における制御チャネル切り替え方法及びコードレス電話システム及びコードレス電話機に関する。
【背景技術】
【０００２】
コードレス電話機は、親機から子機、あるいは、子機から親機を制御するために、制御チャネル（以降、制御ＣＨと称す）が設けられている。この制御ＣＨを用いて、互いに、相手にコマンドを送出し、発信や着信の制御をするようにしている。
【０００３】
このようなコードレス電話機において、制御ＣＨは次のように定められている。即ち、親機から子機へ送信する場合には周波数が３８０．７７５０ＭＨＺ  の４６ｃｈ、及び周波数が３８１．３１２５ＭＨＺ  の８９ｃｈの２チャネルがある。また、子機から親機へ送信する場合には周波数が２５４．４２５０ＭＨＺの４６ｃｈ、及び周波数が２５４．９６２５ＭＨＺ  の８９ｃｈの２チャネルがある。そして、この装置の出荷時には、制御ＣＨは、親機，子機共に４６ｃｈ，８９ｃｈのうち何れか一方に設定するようにしている。
【０００４】
そして、コードレス電話機は、混信を防止するための処置として、親機あるいは子機は、相手への送信に先立ち使用する制御ＣＨが空き状態にあるかどうかについての判定を行う。制御ＣＨが空き状態である場合のみ、親機あるいは子機は送信周波数の電波の発射を行うことができることが規定されている。ここで、使用する制御ＣＨが空き状態とは、親機であれば子機から、子機であれば親機からの制御ＣＨの受信入力電圧が２μＶ（−１０７ｄＢｍ）以下であることをいう。この空き状態を判定する機能のことをキャリアセンスという。つまり、親機であれば子機から、子機であれば親機からの制御ＣＨが空き状態（受信入力電圧が２μＶ以下）でなければ、親機あるいは子機は、制御ＣＨを介して相手への送信を行うことができない。
【０００５】
この制御ＣＨが空き状態でない状況が発生する理由としては、１つは、近くに設置されている他のコードレス電話機が制御ＣＨを送信している場合である。もう１つは、他の電子機器等が発生している放射ノイズ（外来ノイズ）がたまたま制御ＣＨに相当する周波数である場合が考えられる。
【０００６】
前者の場合、コードレス電話機のおける制御ＣＨの発射時間は、親機は４秒以内、子機は１秒以内と規定されている。そのため、時間が経過すれば制御ＣＨの空き状態でない状況は解消される。後者の場合は、ノイズを発生している電子機器の電源がオンされている間は常に制御ＣＨが空き状態でない状況即ち制御ＣＨが使用できない状態が解消されない。このような状況におかれたコードレス電話機ではいつまでたっても相手（親機あるいは子機）への制御ＣＨを介したコマンド送信ができない状態に陥ってしまう。
【０００７】
上述したように、コードレス電話機では２つのＣＨを制御ＣＨとして使用できることが定められている。そのため、制御ＣＨが、いつまでも空き状態でない状況が解消されないような場合は、使用する制御ＣＨをもう一方の制御ＣＨに切り替えて対処することが出来る。
【０００８】
コードレス電話機では親機と子機の双方で２つある制御ＣＨのどちらを使用するかを記憶しているため、制御ＣＨを切り替えるということは、親機側と子機側の双方で記憶されている制御ＣＨ情報を切り替える必要がある。例えば、親機側で制御ＣＨが使用できない（子機からの制御ＣＨが空き状態でない）状況に陥った場合、親機側が制御ＣＨを切り替えるだけではだめである。即ち、このような場合は、子機側も制御ＣＨを切り替える必要がある。しかしながら、制御ＣＨが空きでないため親機側から制御ＣＨを介して子機に制御ＣＨを切り替えることを通知することはできない。
【０００９】
この問題を解決するため、親機あるいは子機で、現在使用している制御ＣＨが使用できないときには利用者にその旨を通知し、利用者の操作によって制御ＣＨを切り替える方法が提案されている（例えば、特許文献１参照。）。
【００１０】
【特許文献１】特開平０１−１７１３３３号公報
【発明の開示】
【発明が解決しようとする課題】
【００１１】
しかしながら、この公報の方法では利用者に制御ＣＨの切り替えを行う操作をさせる必要があり、現実的ではない。なぜなら、ふつうの利用者にはこのような操作は困難であり、結局、専門の保守員を呼ぶ必要があり、時間がかかり効率的でないという問題がある。
【課題を解決するための手段】
【００１２】
本発明のコードレス電話機における制御チャネル切り替え方法は、第１の無線電話機が、第２の無線電話機とコマンドの送受信に使用する制御チャネルにノイズを検出した場合は、前記制御チャネルを介した前記第２の無線電話機からのコマンド検出を続け、前記第２の無線電話機からの前記コマンドを検出すると、前記第２の無線電話機に対し制御チャネル変更を要求する制御チャネル変更コマンドを送出し、前記第１の無線電話機と第２の無線電話機とが前記制御チャネルを予め決められた他の制御チャネルに変更することを特徴とする。
【００１３】
また、前記ノイズが規定値より小さい場合にのみ、前記第２の無線電話機からのコマンド検出を続けることを特徴とする。
【００１４】
また、前記ノイズが規定値より大きい場合は、予め設けられた利用者への要求手段に制御チャネル変更要求を出力することを特徴とする。
【００１５】
また、前記第２の無線電話機からのコマンド検出を予め定められた期間続けることを特徴とする。
【００１６】
また、前記予め定められた期間経過後は、予め設けられた利用者への要求手段に制御チャネル変更要求を出力することを特徴とする。
【００１７】
本発明の他のコードレス電話機における制御チャネル切り替え方法は、第１の無線電話機は、第２の無線電話機とコマンドの送受信に使用する制御チャネルにノイズを検出した場合は、前記ノイズが規定値より小さい場合にのみ前記制御チャネルを介した前記第２の無線電話機からの接続を要求する接続要求コマンドの検出を続け、予め定められた期間内に前記第２の無線電話機からの前記接続要求コマンドを検出すると、前記第２の無線電話機に対し通話状態への移行を要求する接続完了コマンドと制御チャネルの変更を要求する制御チャネル変更コマンドを送出し、前記接続完了コマンドと前記制御チャネル変更コマンドを受信した前記第２の無線電話機は前記第２の無線電話機が使用する前記制御チャネルを予め決められた他の制御チャネルに変更するとともに前記第１の無線電話機に通話状態への移行を完了したことを示す接続移行コマンドと制御チャネルの変更を完了したことを示す制御チャネル変更完了コマンドを送信し、前記接続移行コマンドと前記制御チャネル変更完了コマンドを受信した前記第１の無線電話機は使用する前記制御チャネルを前記他の制御チャネルに変更することを特徴とする。
【００１８】
本発明のコードレス電話システムは、第１の無線電話機と第２の無線電話機とを含むコードレス電話システムにおいて、
第１の無線電話機は、
第１の記憶部と、
第２の無線電話機とコマンドの送受信に使用する制御チャネルを予め決められた他の制御チャネルに変更する第１の無線制御部とを含み、
前記第１の無線制御部は、前記制御チャネルに含まれるノイズを検出するノイズ判定機能と、前記制御チャネルのコマンドを解析するコマンド解析機能とを含み、前記ノイズ判定機能によりノイズを検出した場合、前記コマンド解析機能により前記制御チャネルを介した前記第２の無線電話機からのコマンド検出を続け、前記第２の無線電話機からの前記コマンドを検出すると、前記第２の無線電話機に対し制御チャネルの変更を要求する制御チャネル変更コマンドを送出するよう制御し、前記制御チャネル変更コマンドに対する前記第２の無線電話機からの制御チャネルの変更を完了したことを示す制御チャネル変更完了コマンドを受信した場合に前記第１の記憶部に記憶する前記制御チャネルを前記他の制御チャネルに変更することを特徴とし、
前記第２の無線電話機は、
第２の記憶部と、
前記第２の無線制御部とを含み、
前記第２の無線制御部は、前記制御チャネル変更コマンドを受信すると前記第２の記憶部に記憶する前記制御チャネルを前記他の制御チャネルに変更するとともに前記第１の無線電話機に前記制御チャネル変更完了コマンドを送信するよう制御することを特徴とする。
【００１９】
また、前記第１の無線制御部は前記ノイズが規定値より小さい場合にのみ、前記第２の無線電話機からのコマンド検出を続けることを特徴とする。
【００２０】
また、前記第１の無線制御部は前記ノイズが規定値より大きい場合は、予め設けられた利用者への要求手段に制御チャネル変更要求を出力することを特徴とする。
【００２１】
また、前記第１の無線制御部は前記第２の無線電話機からのコマンド検出を予め定められた期間続けることを特徴とする。
【００２２】
また、前記第１の無線制御部は前記予め定められた期間経過後は、予め設けられた利用者への要求手段に制御チャネル変更要求を出力することを特徴とする。
【００２３】
また、前記第１の無線制御部は前記第２の無線電話機からのコマンド検出を行う際に、予め設けられた利用者への要求手段に第２の無線電話機からの接続を行うことの要求を出力することを特徴とする。
【００２４】
本発明の他のコードレス電話システムは、第１の無線電話機と第２の無線電話機とを含むコードレス電話システムにおいて、
第１の無線電話機は、
第１の記憶部と、
第２の無線電話機とコマンドの送受信に使用する制御チャネルを予め決められた他の制御チャネルに変更する第１の無線制御部とを含み、
前記第１の無線制御部は、前記制御チャネルに含まれるノイズを検出するノイズ判定機能と、前記制御チャネルのコマンドを解析するコマンド解析機能とを含み、前記ノイズ判定機能によりノイズを検出した場合、前記ノイズが規定値より小さい場合にのみ前記コマンド解析機能により前記制御チャネルを介した前記第２の無線電話機からの接続を要求する接続要求コマンド検出を続け、予め定められた期間内に前記第２の無線電話機からの前記接続要求コマンドを検出すると、前記第２の無線電話機に対し通話状態への移行を要求する接続完了コマンドと制御チャネルの変更を要求する制御チャネル変更コマンドを送出するよう制御し、前記第２の無線電話機からの通話状態への移行を完了したことを示す接続移行コマンドと制御チャネルの変更を完了したことを示す制御チャネル変更完了コマンドを受信した場合に前記第１の記憶部に記憶する前記制御チャネルを前記他の制御チャネルに変更することを特徴とし、
前記第２の無線電話機は、
第２の記憶部と、
前記第２の無線制御部とを含み、
前記第２の無線制御部は、前記制御チャネル変更コマンドを受信すると前記第２の記憶部に記憶する前記制御チャネルを前記他の制御チャネルに変更するとともに前記第１の無線電話機に前記接続移行コマンドと前記制御チャネル変更完了コマンドを送信するよう制御することを特徴とする。
【００２５】
本発明のコードレス電話機は、
記憶部と、
相手のコードレス電話機とコマンドの送受信に使用する制御チャネルを予め決められた他の制御チャネルに変更する無線制御部とを含み、
前記無線制御部は、前記制御チャネルに含まれるノイズを検出するノイズ判定機能と、前記制御チャネルのコマンドを解析するコマンド解析機能とを含み、前記ノイズ判定機能によりノイズを検出した場合、前記コマンド解析機能により前記制御チャネルを介した前記相手のコードレス電話機からのコマンド検出を続け、前記相手のコードレス電話機からの前記コマンドを検出すると、前記相手のコードレス電話機に対し制御チャネルの変更を要求する制御チャネル変更コマンドを送出するよう制御し、前記制御チャネル変更コマンドに対する前記相手のコードレス電話機からの制御チャネルの変更を完了したことを示す制御チャネル変更完了コマンドを受信した場合に前記記憶部に記憶する前記制御チャネルを前記他の制御チャネルに変更することを特徴とする。
【００２６】
本発明の他のコードレス電話機は、
記憶部と、
相手のコードレス電話機とコマンドの送受信に使用する制御チャネルを予め決められた他の制御チャネルに変更する無線制御部とを含み、
前記無線制御部は、前記制御チャネルに含まれるノイズを検出するノイズ判定機能と、前記制御チャネルのコマンドを解析するコマンド解析機能とを含み、前記ノイズ判定機能によりノイズを検出した場合、前記ノイズが規定値より小さい場合にのみ前記コマンド解析機能により前記制御チャネルを介した前記相手のコードレス電話機からの接続を要求する接続要求コマンド検出を続け、予め定められた期間内に前記相手のコードレス電話機からの前記接続要求コマンドを検出すると、前記相手のコードレス電話機に対し通話状態への移行を要求する接続完了コマンドと制御チャネルの変更を要求する制御チャネル変更コマンドを送出するよう制御し、前記相手のコードレス電話機からの通話状態への移行を完了したことを示す接続移行コマンドと制御チャネルの変更を完了したことを示す制御チャネル変更完了コマンドを受信した場合に前記記憶部に記憶する前記制御チャネルを前記他の制御チャネルに変更することを特徴とする。
【００２７】
さらに、本発明の他のコードレス電話機は、
記憶部と、
相手のコードレス電話機とコマンドの送受信に使用する制御チャネルを予め決められた他の制御チャネルに変更する無線制御部とを含み、
前記無線制御部は、制御チャネルの変更を要求する制御チャネル変更コマンドを受信すると前記記憶部に記憶する制御チャネルを前記他の制御チャネルに変更するとともに前記相手のコードレス電話機に制御チャネルの変更を完了したことを示す制御チャネル変更完了コマンドを送信するよう制御することを特徴とする。
【００２８】
さらに、本発明の他のコードレス電話機は、
記憶部と、
相手のコードレス電話機とコマンドの送受信に使用する制御チャネルを予め決められた他の制御チャネルに変更する無線制御部とを含み、
前記無線制御部は、制御チャネルの変更を要求する制御チャネル変更コマンドを受信すると前記記憶部に記憶する制御チャネルを前記他の制御チャネルに変更するとともに前記相手のコードレス電話機に通話状態への移行を完了したことを示す接続移行コマンドと制御チャネルの変更を完了したことを示す制御チャネル変更完了コマンドを送信するよう制御することを特徴とする。
【発明の効果】
【００２９】
本発明は、制御ＣＨに外来ノイズの影響があったとしても、一定の条件下では、自動で制御ＣＨを切り替えられるようにしたため、利用者に負担がかからず、処理時間も短縮できる効果がある。
【発明を実施するための最良の形態】
【００３０】
次に、本発明を実施するための最良の形態について図面を参照して詳細に説明する。
【００３１】
図１は本発明の一実施の形態を示すコードレス電話機の親機のブロック図である。
【００３２】
図１を参照すると、親機は、親機制御部１００、親機表示／操作部１０１、親機通話部１０２、親機無線部１０３、親機制御ＣＨ記憶部１０４、回線インターフェース部１０５を含んで構成される。
【００３３】
親機制御部１００は各部の制御を行い、コードレス電話機の親機としての機能を実現する。親機表示／操作部１０１は、発信や着信時の電話番号等を表示する表示画面と、電話番号の入力等を行う操作パネルを有する。親機通話部１０２はマイクとレシーバ及びスピーカを装備し、利用者が通話をする際に使用される。回線インターフェース部１０５は電話局との回線インターフェース機能を有し、発信する場合のダイヤル発呼や着信時のリンガ検出等を行う。親機無線部１０３はコードレス子機との無線信号の送信、受信及び、フロー制御を行う。親機制御ＣＨ記憶部１０４は２つの制御ＣＨのどちらの制御ＣＨを使用するかを記憶する。
【００３４】
図２は親機制御部１００の詳細を示すブロック図である。親機制御部１００は、大きくは、表示／操作制御部１００１、通話および回線制御部１００２、無線制御部１００３を含んで構成される。表示／操作制御部１００１は親機表示／操作部１０１の制御を行う。即ち、親機表示／操作部１０１に装備されている表示画面に電話番号等の文字を表示させたり、操作パネルから入力された文字の取得を行う。通話および回線制御部１００２は通話時に親機通話部１０２と回線インターフェース部１０５の制御を行う。例えば通話および回線制御部１００２は発信時には、表示／操作制御部１００１で入力されたダイヤル番号を回線インターフェース部に通知して回線にダイヤル信号を送信させる。また通話および回線制御部１００２は、親機の通話開始時には回線インターフェース部１０５と親機通話部１０２の間に通話パスを形成する。また通話および回線制御部１００２は、子機との通話開始時には回線インターフェース部１０５と親機無線部１０３の間に通話パスを形成する。
【００３５】
無線制御部１００３は親機無線部１０３を介して、親機と子機の間での信号フローの制御を行う。無線制御部１００３は大きく分けて、受信部１００４と送信部１００５とノイズ判定部１００６とコマンド解析部１００９及び、制御ＣＨ変更部１０１０を含んで構成される。
【００３６】
無線制御部１００３は、受信部１００４を介して子機からの信号を受信し、コマンド解析部１００９を用いて、受信信号のコマンド解析を行う。無線制御部１００３は、受信信号のコマンド解析に成功したときには、フロー制御を行い、必要に応じ、子機に対しコマンドを送信部１００５を介して送信する。無線制御部１００３は、コマンドを認識できなかったとき、ノイズ判定部１００６を用いて、受信信号がノイズかどうかの判定を行う。無線制御部１００３は、受信信号がノイズの場合、利用者に、子機を用いた接続要求を行うように要求する。この要求は、スピーカを介した音声によるものであってもよいし、表示によるものであってもよい。又、接続要求先は、利用者が任意に選択する番号でよい。そして、無線制御部１００３は、一定の時間内に子機からのコマンドを認識できた場合には、子機に対し、使用制御ＣＨ変更コマンドを送出し、子機に対し制御ＣＨの変更を要求する。そして、子機から制御ＣＨ変更完了コマンドを受診すると、無線制御部１００３は、制御ＣＨ変更部１０１０を起動して親機制御ＣＨ記憶部１０４に記憶されている使用制御ＣＨを変更する。無線制御部１００３は、一定の時間内に子機からのコマンドを認識できなかった場合には、ユーザに対し、制御ＣＨの変更を要求する。この変更要求は、音声によるものであってもよいし、表示によるものであってもよい。
【００３７】
受信部１００４は、無線制御部１００３からの受信指示を受け、親機無線部１０３を介して無線信号を受信し、コード化して無線制御部１００３に送付する。送信部１００５は無線制御部１００３から指示された子機に送信するコマンドのコマンドコードの作成を行い、親機無線部１０３に引き渡す。ノイズ判定部１００６はタイマー制御部１００７とカウンタ設定部１００８を有し、無線制御部１００３からの指示により、受信部１００４で受信した信号について後述するノイズ判定を行う。コマンド解析部１００９は無線制御部１００３からの指示により、受信部１００４で受信した子機からの信号のコマンドを解析する。
【００３８】
図３は本発明の一実施の形態を示すコードレス電話機の子機のブロック図である。
【００３９】
図３を参照すると、子機は、子機制御部２００、子機表示／操作部２０１、子機通話部２０２、子機無線部２０３、子機制御ＣＨ記憶部２０４を含んで構成される。
【００４０】
子機制御部２００は各部の制御を行い、コードレス電話機の子機としての機能を実現する。子機表示／操作部２０１は、発信や着信時の電話番号等を表示する表示画面と、電話番号の入力等を行う操作パネルを有する。子機通話部２０２はマイクやレシーバ及びスピーカを装備し、利用者が通話をする際に使用される。子機無線部２０３はコードレス親機（図１）との無線信号のやりとりを行う。子機制御ＣＨ記憶部２０４は２つの制御ＣＨのどちらの制御ＣＨを使用するかを記憶する。ここに記憶される制御ＣＨは親機制御ＣＨ記憶部１０４に記憶される制御ＣＨと同じ制御ＣＨが記憶される。
【００４１】
図４は子機制御部２００の詳細を示すブロック図である。子機制御部２００は、大きくは、表示／操作制御部２００１、通話制御部２００２、無線制御部２００３を含んで構成される。
【００４２】
表示／操作制御部２００１は子機表示／操作部２０１の制御を行う。表示／操作制御部２００１は、子機表示／操作部２０１に装備されている表示画面に電話番号等の文字を表示させたり、操作パネルから入力された文字の取得を行う。通話制御部２００２は通話時に子機通話部２０２の制御を行う。例えば通話制御部２００２は発信時には、表示／操作制御部２００１で入力されたダイヤル番号を無線制御部２００３を介して親機に送信する。また通話制御部２００２は、通話開始時には無線制御部２００３と子機通話部２０２の間に通話パスを形成する。
【００４３】
無線制御部２００３は子機無線部２０３を介して、親機との無線信号の送信、受信及び、フロー制御を行う。無線制御部２００３は受信部２００４と送信部２００５、コマンド解析部２００６、及び制御ＣＨ変更部２００７を含んで構成される。
【００４４】
無線制御部２００３は、利用者の通話開始時、親機に送信部２００５を介して制御ＣＨにて接続要求コマンドを送信する。そして、無線制御部２００３は、受信部２００４を介して親機からの接続完了コマンドを待ち受ける。次に、無線制御部２００３は、一定時間内に接続完了コマンドを受診できなかった場合は、親機に接続要求コマンドを再送する。無線制御部２００３は、親機からの受信信号のコマンド解析を行い、接続完了コマンドを受信後のコマンドが制御ＣＨ変更コマンドでなければ、親機に通話ＣＨにて通話移行コマンドを送信する。無線制御部２００３は、制御ＣＨ変更コマンドを受信した場合は、親機に制御ＣＨ変更完了コマンドを送信する。そして、無線制御部２００３は、制御ＣＨ変更部２００７を用いて子機制御ＣＨ記憶部２０４に記憶されている使用制御ＣＨを変更する。
【００４５】
受信部２００４は、無線制御部２００３からの受信指示を受け、子機無線部２０３を介して無線信号を受信し、コード化して無線制御部２００３に引き渡す。送信部２００５は無線制御部２００３から指示された親機に送信するコマンドのコマンドコードの作成を行い子機無線部２０３に引き渡す。コマンド解析部２００６は無線制御部２００３からの指示により、受信部２００４で受信した親機から送信された信号のコマンドを解析する。
【００４６】
次に、本発明を実施するための最良の形態の動作について図面を参照して説明する。
【００４７】
図５は外来ノイズの影響のない場合の親機と子機の間の処理手順を示す図である。利用者が子機にて通話を開始すると（Ｓ３００）、子機の無線制御部２００３は親機に制御ＣＨにて接続要求コマンドを送信する（Ｓ３０１）。親機の無線制御部１００３は子機からの接続要求コマンドを受信すると、子機に対して制御ＣＨにて接続完了コマンドを送信する（Ｓ３０２）。子機の無線制御部２００３は親機からの接続完了コマンドを受信すると、通話移行コマンドを送信する（Ｓ３０３）。ここから親機と子機の通信手順は制御ＣＨからから通話ＣＨへ移行する。通話状態（Ｓ３０４）が終了（Ｓ３０５）すると、子機の無線制御部２００３は親機に制御ＣＨにて通話断コマンドを送信して（Ｓ３０６）、通話終了となる。
【００４８】
図６は前述の接続要求コマンド等のコマンドが制御ＣＨあるいは通話ＣＨで送信される際のデータフォーマットの詳細を示す図である。送信されるコマンドは図６のように全部で１０８ビットで構成される。Ｂｉｔ同期、Ｆｒａｍｅ同期は図７に示した固定のコードが定められている。ＩＤはコードレス電話機を特定するためのユニークなコードであり、コードレス電話機毎に異なる。ＣＲＣ、ＳＵＭはｂｉｔ化け等の誤り検出用のビットである。コマンドは前述の接続要求コマンド等が該当し、メーカー毎に固有のコマンドを定義する。最終ビットは付加ビットとして「０」をつける。
【００４９】
次に、図８は外来ノイズの影響を受けている場合の親機と子機の間の処理手順を示している。また図９は親機の無線制御部１００３の制御を示すフローチャートで、図１０は子機の無線制御部２００３の制御を示すフローチャートである。図８、９，１０を用いて本発明の動作の説明を行う。また、制御ＣＨは２つあり、一方を制御ＣＨ１、他方を制御ＣＨ２とする。
【００５０】
図８の例では制御ＣＨ１を使用している場合について示す。
【００５１】
制御ＣＨ１の周波数に相当する外来ノイズが外部から到来していると（Ｓ４００）、親機は制御ＣＨ１が使用不可状態となるため、制御ＣＨ変更カウンタをセットする（Ｓ４０１）。このときの動作は、図９のＳ５００〜Ｓ５０６までに相当する。
【００５２】
ここで、Ｓ５００の制御ＣＨ受信判断は、無線制御部１００３の子機からの待ち受け処理である。従って、Ｓ５００は、無線制御部１００３によって周期的に起動されるものとする。この待ち受け処理は、子機からのコマンド検出のために行われるが、従来技術と同様のため、ここでは詳細にふれない。また、Ｓ５０１の制御ＣＨ変更カウンタのクリアは、システムの立ち上げ時、無線制御部１００３によって行われるものとする。
【００５３】
外来ノイズが到来すると（Ｓ４００）、無線制御部１００３は、制御ＣＨが受信状態と判断する（Ｓ５００のｙｅｓ）。外来ノイズの場合は、図６、図７で示す制御ＣＨの規定のデータフォーマットではないので、無線制御部１００３は、子機からの受信ではないと判断できる（Ｓ５０２のｎｏ）。この場合、無線制御部１００３は、タイマーをスタートさせる（Ｓ５０３）。
【００５４】
子機の制御ＣＨの送出時間は１秒以内と規定されており、タイマー値は１秒より大きい値とする。つまり、制御ＣＨに相当する周波数の受信が１秒以上継続した場合は他のコードレス電話機が送信した制御ＣＨではなく、ノイズであると判断できる。制御ＣＨの受信状態が継続し（Ｓ５０４のｙｅｓ）、タイムアウトした場合（Ｓ５０５のｙｅｓ）、無線制御部１００３は、外来ノイズによる妨害と判断する。前述したように、外来ノイズの信号レベルが子機が送出する最大の信号レベル（規定値とする）より大きい場合（Ｓ５０５−１のｙｅｓ）は、無線制御部１００３は、子機が送出する信号を正常に受信できない。このため、この場合は無線制御部１００３は、自動で制御ＣＨを切り替えることは不可能であると判断し、利用者にノイズの妨害があることを通知する（Ｓ５０６−３）。通知方法は、音声によるものでも良いし、表示によるものでもよい。
【００５５】
子機が送出する信号レベルは最大値が規定されており、その規定値以上にはならない。そのため、その最大値をＳ５０５−１で使用するレベル比較用の規定値とする。逆に外来ノイズの信号レベルが子機が送出する信号レベルよりも小さい場合（Ｓ５０５−１のｎｏ）は、自動で制御ＣＨを切り替えられる可能性がある。従って、この場合は、無線制御部１００３は、制御ＣＨ変更カウンタをインクリメントする（Ｓ５０６）。そして、無線制御部１００３は、利用者に、音声あるいは、表示により、子機からの接続要求を行うように要求する（Ｓ５０６−１）。尚、制御ＣＨ変更カウンタは図１の親機制御ＣＨ記憶部１０４に記憶される。制御ＣＨカウンタがセットされていると、後述する制御ＣＨの自動切り替えが動作することになる。
【００５６】
ここで親機の無線制御部１００３が外来ノイズであると認識できたにもかかわらず、この段階ではカウンタをセットするだけで実際の制御ＣＨの変更を行うことができない。その理由は、たとえノイズであっても制御ＣＨが空き状態でなければ子機への制御ＣＨの送信は規定で禁止されているからである。
【００５７】
制御ＣＨ変更カウンタがセットされた後に、制御ＣＨが受信されなくなった場合（Ｓ５００のｎｏ）は、無線制御部１００３は、制御ＣＨ変更カウンタをクリアする（Ｓ５０１）。つまり、外来ノイズが何らかの理由で消滅した場合である。この場合は制御ＣＨを変更する必要がない。
【００５８】
次に、制御ＣＨ変更カウンタがセットされている状態のときに子機からの接続要求があった場合を説明する。
【００５９】
子機にて通話要求が発生した場合（Ｓ４０２）、子機の無線制御部２００３は親機に制御ＣＨ１にて接続要求コマンドを送信する（Ｓ４０３）（Ｓ６００）。親機は外来ノイズの影響を受けているが、外来ノイズの信号レベルが規定値より小さい場合は、親機では子機からの制御ＣＨを正常に受信する可能性がある。
【００６０】
以下は親機で子機からの制御ＣＨを正常に受信した場合の制御ＣＨの自動切り替えの説明である。
【００６１】
親機の無線制御部１００３は子機からの接続要求コマンド（４０３）を受信すると（Ｓ４０３）（Ｓ５０２のｙｅｓ）、Ｓ５０７に進む。無線制御部１００３は、制御ＣＨ変更カウンタがセットされている場合（Ｓ５０７のｙｅｓ）は、子機に対して制御ＣＨ１にて接続完了コマンドを送信するとともに、制御ＣＨ変更コマンドを送信する（Ｓ４０４）（Ｓ５０９）。子機の無線制御部２００３は親機からの接続完了コマンドおよび制御ＣＨ変更コマンドを受信すると（Ｓ６０２のｙｅｓ）、制御ＣＨを１から２に変更する（Ｓ４０５、Ｓ６０３）。具体的には図２の子機制御ＣＨ記憶部に記憶されている情報を制御ＣＨ２に変更する。尚、子機の無線制御部２００３は親機からの接続完了コマンドを一定時間内に受信できなかった場合は、親機に制御ＣＨ１にて接続要求コマンドを再送する（Ｓ６０１−１）。その後、子機の無線制御部２００３は親機に通話ＣＨにて通話移行コマンドおよび制御ＣＨ変更完了コマンドを送信する（Ｓ４０６）（Ｓ６０４）。親機の無線制御部１００３は、子機から制御ＣＨ変更完了コマンドを受信した場合（Ｓ５１１のｙｅｓ）は、制御ＣＨを１から２に変更するとともに制御ＣＨ変更カウンタをクリアする（Ｓ４０７、Ｓ５１２）。具体的には図１の親機制御ＣＨ記憶部に記憶されている情報を制御ＣＨ２に変更する。通話状態（Ｓ４０８）が終了すると（Ｓ４０９）（Ｓ６０７のｙｅｓ）、子機の無線制御部２００３は親機に通話断コマンドを送信して（Ｓ４１０）（Ｓ６０８）通話終了となる。この手順にて制御ＣＨを変更した後は、親機は制御ＣＨ２にて受信を行うため、制御ＣＨ１に相当する周波数の外来ノイズ（４００）の影響を受けることはなくなる。
【００６２】
前述の制御ＣＨの自動切り替えは、子機からの接続要求があった場合のみ実行されるため、子機からの接続要求がなかった場合は実行されない。親機の無線制御部１００３は、制御ＣＨの受信信号がノイズの場合、利用者に子機を用いた接続要求を行うように要求する。しかし、利用者が、それを認識できなかった場合などには、子機からの接続要求は発生しない。そこで、ある時間以上経過しても子機からの接続要求がない場合は、無線制御部１００３は、自動で制御ＣＨを切り替えることは不可能であると判断し、利用者にノイズの妨害があることを通知する（Ｓ５０６−３）。
【００６３】
具体的には、外来ノイズが到来している間は常に制御ＣＨ変更カウンタはインクリメントされ続ける（Ｓ５０６）。このため、制御ＣＨ変更カウンタの値が規定回数Ｎより大きくなった場合（Ｓ５０６−２のｙｅｓ）に、無線制御部１００３は、自動で制御ＣＨを切り替えることは不可能と判断できる。利用者に通知する方法としては、音声により通知する、または画面にメッセージを表示する等の方法とする。外来ノイズを検出してから利用者にノイズの妨害があることを通知するまでの時間は、Ｓ５０３でセットするタイマーの時間ｘ規定回数Ｎとなる。
【００６４】
以上説明したように、本発明は、制御ＣＨのノイズが定められた規定値より小さくて、かつ規定の期間内に子機からの接続要求コマンドを検出できれば、自動で制御ＣＨを切り替えられるようにした。そのため、コードレス電話機における制御ＣＨを切り替え処理は、利用者に負担がかからず、処理時間も短縮できる効果がある。
【００６５】
尚、前述の実施例では、親機側が外来ノイズの影響を受けて子機への制御ＣＨの発信ができない場合について説明した。同様の方法で、子機側が外来ノイズの影響を受けて親機への制御ＣＨの発信ができない場合についても制御ＣＨの変更を行うことが可能である。子機側にてノイズの判定を行い、ノイズありと判断した場合は、制御ＣＨの変更カウンタをセットしておき、親機からの接続動作時に制御ＣＨ変更カウンタがセットされている場合は制御ＣＨの変更を行う。
【図面の簡単な説明】
【００６６】
【図１】本発明の一実施の形態を示すコードレス電話機の親機のブロック図である。
【図２】親機制御部１００の詳細を示すブロック図である。
【図３】本発明の一実施の形態を示すコードレス電話機の子機のブロック図である。
【図４】子機制御部２００の詳細を示すブロック図である。
【図５】外来ノイズの影響のない場合の親機と子機の間の処理手順を示す図である。
【図６】コマンドのデータフォーマットの詳細を示す図である。
【図７】Ｂｉｔ同期、Ｆｒａｍｅ同期の固定のコードを示す図である。
【図８】外来ノイズの影響を受けている場合の親機と子機の間の処理手順を示す図である。
【図９】親機の無線制御部１００３の制御を示すフローチャートである。
【図１０】子機の無線制御部２００３の制御を示すフローチャートである。
【符号の説明】
【００６７】
１００    親機制御部
１０１    親機表示／操作部
１０２    親機通話部
１０３    親機無線部
１０４    親機制御ＣＨ記憶部
１０５    回線インターフェース部
２００    子機制御部
２０１    子機表示／操作部
２０２    子機通話部
２０３    子機無線部
２０４    子機制御ＣＨ記憶部
１００１    表示／操作制御部
１００２    通話および回線制御部
１００３    無線制御部
１００４    受信部
１００５    送信部
１００６    ノイズ判定部
１００７    タイマー制御部
１００８    カウンタ設定部
１００９    コマンド解析部
１０１０    制御ＣＨ変更部
２００１    表示／操作制御部
２００２    通話制御部
２００３    無線制御部
２００４    受信部
２００５    送信部
２００６    コマンド解析部
２００７    制御ＣＨ変更部
【図１】
2006067131.tif 000003
【図２】
2006067131.tif 000004
【図３】
2006067131.tif 000005
【図４】
2006067131.tif 000006
【図５】
2006067131.tif 000007
【図６】
2006067131.tif 000008
【図７】
2006067131.tif 000009
【図８】
2006067131.tif 000010
【図９】
2006067131.tif 000011
【図１０】
2006067131.tif 000012